(57)【要約】【課題】  上方に開操作でき、且つ開状態で保持できる扉板を備えても、蝶番部に別途部材の組み付け等を必要としない分電盤ハウジングを提供する。【解決手段】  前面板３に設けられた開口部３１を閉塞する扉板４を有し、扉板４は開閉可能に前面板３に上部が蝶着されて成り、扉板４の上端には前面板３に蝶着するための回転軸５が一体に形成される一方、前面板３には回転軸５を軸止する軸穴６ｂを備えた軸止部６が一体に設けられ、更に扉板４の上辺には扉板４が特定の角度まで開操作されたら、前面板３に係止して開状態を保持する係止舌片４ａが設けられている。【選択図】  図５
2020010519.tif 000002
【特許請求の範囲】
【請求項１】
ハウジングの前面に設けられた開口部を閉塞する扉板を有し、前記扉板は開閉可能に前記ハウジングに上部が蝶着されて成る分電盤ハウジングであって、
前記扉板の上端には、前記ハウジングに蝶着するための回転軸が一体に形成される一方、前記ハウジングには、前記回転軸を軸止する軸穴を備えた軸止部が一体に設けられ、
更に前記扉板には、前記扉板が特定の角度まで開操作されたら、前記ハウジングに係止して開状態を保持する係止手段が設けられていることを特徴とする分電盤ハウジング。
【請求項２】
前記係止手段が前記扉板の上辺に突設された係止舌片であると共に、係止対象の前記ハウジングに形成された係止部が係止溝であり、
前記係止溝は、前記係止舌片を係止する部位から前記ハウジングの内部に向けて前記係止舌片のスライドを可能とする傾斜面を有し、
前記係止溝に係止している前記扉板が閉操作を受けたら、係止が解除されて前記係止舌片が前記傾斜面上をスライドし、閉動作することを特徴とする請求項１記載の分電盤ハウジング。
【請求項３】
前記ハウジングは、前面が開放された箱状のハウジング本体と、前記開口部を有して前記開放された前面を閉塞する前面板とを有し、
前記軸止部は、前記前面板の背面に形成されて成ることを特徴とする請求項１又は２記載の分電盤ハウジング。
【発明の詳細な説明】
【技術分野】
【０００１】
本発明は、ブレーカ等を収納する分電盤のハウジングに関し、特に前面に扉板を備えた分電盤ハウジングに関する。
【背景技術】
【０００２】
主幹ブレーカや分岐ブレーカ等の多数のブレーカを収容する分電盤ハウジングは、ブレーカの操作がし易いようにハウジングから操作ハンドルを露出させているものが多い。このような分電盤ハウジングは、ブレーカの周囲に配設されている充電部や電線に塵等が付着して漏電等発生しないように閉塞する必要があるため、操作ハンドルのみ露出させるための開口部をハウジング前面に設けている。
【０００３】
そのため、このような前面に操作ハンドルを露出させた分電盤は、外観上を考慮して操作ハンドルを含む開口部全体を閉塞するために、分電盤の前面に更に扉板を設けたものが普及している。その際、壁面の上方に設置された分電盤を操作する際に扉板が邪魔にならないように、扉板は上方に開くよう構成され（例えば、特許文献１参照）、更に上方に開操作した際に、開放された状態が維持されるようにロック機構が設けられ、分電盤の操作をし易いよう構成されている（例えば、特許文献２参照）。
【先行技術文献】
【特許文献】
【０００４】
【特許文献１】特開２０１０−１１５５９号公報
【特許文献２】特開平９−２７１１１２号公報
【発明の概要】
【発明が解決しようとする課題】
【０００５】
上記蝶番部にロック機構が設けられている構造は、扉を開けた状態で手を離しても扉が下がることが無いため、点検作業等がし易い。しかしながら、このような蝶番は軸やカム部材等の金属から成る部材が扉及びハウジングに組み付けられて形成されるため、コスト高な構造となっていた。
【０００６】
そこで、本発明はこのような問題点に鑑み、上方に開操作でき、且つ開状態で保持できる扉板を備えても、蝶番部に別途部材の組み付け等を必要としない分電盤ハウジングを提供することを目的としている。
【課題を解決するための手段】
【０００７】
上記課題を解決する為に、請求項１の発明は、ハウジングの前面に設けられた開口部を閉塞する扉板を有し、扉板は開閉可能にハウジングに上部が蝶着されて成る分電盤ハウジングであって、扉板の上端には、ハウジングに蝶着するための回転軸が一体に形成される一方、ハウジングには、回転軸を軸止する軸穴を備えた軸止部が一体に設けられ、更に扉板には、扉板が特定の角度まで開操作されたら、ハウジングに係止して開状態を保持する係止手段が設けられていることを特徴とする。
この構成によれば、扉板をハウジングに蝶着するための部材は、扉板及びハウジングにそれぞれ一体に形成されているため、別途蝶番を形成する部材が必要なく、安価に構成できる。そして、開状態にある扉板は、その状態が保持されるので別途保持手段を組み付ける必要もない。
【０００８】
請求項２の発明は、請求項１に記載の構成において、係止手段が扉板の上辺に突設された係止舌片であると共に、係止対象のハウジングに形成された係止部が係止溝であり、係止溝は、係止舌片を係止する部位からハウジングの内部に向けて係止舌片のスライドを可能とする傾斜面を有し、係止溝に係止している扉板が閉操作を受けたら、係止が解除されて係止舌片が傾斜面上をスライドし、閉動作することを特徴とする。
この構成によれば、開状態が保持されている扉板を閉操作すれば、係止舌片の係止が解除されて閉動作するため、別途係止解除操作する必要がないし、スライドして係止が解除されるため係止舌片が破損するようなことがない。
【０００９】
請求項３の発明は、請求項１又は２に記載の構成において、ハウジングは、前面が開放された箱状のハウジング本体と、開口部を有して開放された前面を閉塞する前面板とを有し、軸止部は、前面板の背面に形成されて成ることを特徴とする。
この構成によれば、軸止部は、前面板に一体形成されても前面板の背部に形成されているため、前方からは隠れることで外観上好ましい。
【発明の効果】
【００１０】
本発明によれば、扉板をハウジングに蝶着するための部材は、扉板及びハウジングそれぞれに一体形成されているため、別途蝶番を形成する部材が必要なく、安価に構成できる。そして、開状態にある扉板は、その状態が保持されるので別途保持手段を組み付ける必要がない。
【図面の簡単な説明】
【００１１】
【図１】本発明に係る分電盤ハウジングの一例を示す斜視図であり、（ａ）は扉板を閉じた状態、（ｂ）は扉板を開いた状態を示している。
【図２】扉板を開いた状態の前面板の正面図である。
【図３】図２のＡ−Ａ線断面図であり、（ａ）は主要部、（ｂ）はＣ部拡大図を示している。
【図４】扉板を閉じた状態のＡ−Ａ線断面図であり、（ａ）は主要部、（ｂ）はＤ部拡大図を示している。
【図５】扉板と前面板を分離した斜視説明図であり、（ａ）前面板、（ｂ）は扉板である。
【図６】図５のＥ部拡大図である。
【図７】図５のＦ部の拡大図であり、背面から見た斜視図である。
【図８】回転軸を収容したＦ部の背面図である。
【図９】収容した回転軸を軸着したＦ部の背面図である。
【図１０】図２のＢ−Ｂ線断面図であり、（ａ）は主要部、（ｂ）はＧ部拡大図を示している。
【図１１】扉板を閉じた状態のＢ−Ｂ線断面図であり、（ａ）は主要部、（ｂ）はＨ部断面図を示している。
【図１２】扉板を閉じる途中の状態を示すＢ−Ｂ線断面図であり、（ａ）は主要部、（ｂ）はＩ部拡大図である。
【発明を実施するための形態】
【００１２】
以下、本発明を具体化した実施の形態を、図面を参照して詳細に説明する。図１は本発明に係る分電盤ハウジングの一例を示す斜視図であり、（ａ）は扉板を閉じた状態、（ｂ）は扉板を開いた状態を示している。また、図２は扉板を開いた状態の分電盤ハウジングの正面図を示している。
分電盤ハウジング（以下、単に「ハウジング」と称する。）１は、背面及び周囲側面を有して前面が開放された箱状のハウジング本体２と、ハウジング本体２の前面に配置されてハウジング本体２の開放された前面を閉塞する前面板３とを有し、前面板３には上端が蝶着されて開閉操作が可能な扉板４が設けられている。
【００１３】
ブレーカ等の分電盤機器はハウジング本体２に組み付けられ、側面の一部を成す天面等にはノックアウト２１が設けられ、内部に収容されたブレーカ等に接続する電線を入出する穴を形成可能としている。
前面板３の上下２カ所には、一段落とし込んだ凹状エリア３２が形成され、その内部にハウジング本体２に収容されたブレーカの操作ハンドル（図示せず）を露出させるための開口部３１が形成されている。この凹状エリア３２は、開口部３１から露出させた操作ハンドルの収容空間を形成し、扉板４は上下２段で形成された開口部３１を含む凹状エリア３２全体を閉塞するよう設けられている。
【００１４】
図３，４は図２のＡ−Ａ線断面を示している。但し、図３は扉板４を開いた図２の状態を示し、図３（ａ）は主要部、図３（ｂ）はＣ部拡大図である。一方図４は、扉板４を閉じた状態を示し、図４（ａ）は主要部、図４（ｂ）はＤ部拡大図である。
また、図５〜９は前面板３と扉板４の連結構造、即ち蝶番構造の説明図であり、図５は前面板３と扉板４を分離した全体説明図、図６は図５のＥ部拡大図、図７はＦ部を背部から見た斜視図、図８は回転軸５を収容したＦ部の背面図、図９は収容した回転軸５を軸着して扉板４をハウジング本体２に取り付けたＦ部の背面図をそれぞれ示している。
【００１５】
図５に示すように、扉板４の上辺の左右２カ所には前面板３に蝶着部の一方を構成する回転軸５が設けられ、扉板４の上辺には、中央付近に係止舌片４ａが帯状に設けられている。そして、前面板３には、回転軸５が挿入される一対の挿入口３３が形成され、中央に係止舌片４ａが挿入される係止孔３４が形成されている。また、図７に示すように前面板３の背部には、蝶番部の他方を構成する軸止部６が形成されている。
【００１６】
以下、蝶番部を具体的に説明する。回転軸５は、図６に示すように、前面板３の軸止部６に連結される連結軸５ａを端部に有し、連結軸５ａと同一軸上に連続して一体形成されて、連結軸５ａを補強する延長軸５ｂを有している。
この回転軸５は、図６に示すように連結部材７を介して扉板４に連結され、扉板４と一体に形成される。連結部材７は、図３、４の断面図に示すように、扉板４の背面から上方に向けてＵ字状の外形を有して形成されており、回転軸５が前面板３の背部に入り込み易いよう形成されている。
【００１７】
他方の軸止部６は、前面板３の背面に形成されており、図８に示すように回転軸５を収容する箱状の収容部６ａを有し、収容部６ａの側面には連結軸５ａを挿入して軸止する軸穴６ｂが設けられている。そして、回転軸５を挿入する挿入口３３は、図７に示すように軸止部６の直下に設けられており、この挿入口３３の奥部から軸止部６に向けて、挿入された回転軸５を案内する案内路８が形成されている。
【００１８】
案内路８は、図７に示すように円弧状に形成され、挿入された回転軸５を上方の軸止部６に案内するよう形成されている。連結部材７がＵ字状に形成されていることで、挿入口３３に挿入された回転軸５は、案内路８に案内されてスムーズに軸止部６まで移動できる。
こうして、収容部６ａに配置された回転軸５は、連結軸５ａが軸穴６ｂの近傍に配置され、図８に示す状態となる。
【００１９】
図１０〜１２は開状態の扉板４の角度を保持する係止構造の説明図であり、この図を参照して係止構造を具体的に説明する。図１０は図２のＢ−Ｂ線断面図であり、（ａ）は主要部、（ｂ）はＧ部拡大図を示している。図１１は扉板４を閉じた状態のＢ−Ｂ線断面図であり、（ａ）は主要部、（ｂ）はＨ部拡大図を示している。図１２は扉板４を閉じる途中の状態を示すＢ−Ｂ線断面図であり、（ａ）は主要部、（ｂ）はＩ部拡大図である。
扉板４の上辺に形成されている係止舌片４ａは、図１0〜１２の断面で示すように、基部は扉板４の後方に向けて形成され、途中から折り曲げられて先端が斜め上方を向くよう形成されている。尚、図１０〜１２に示すＭは、扉板４の回転中心（回転軸５の位置）を示している。
【００２０】
一方、前面板３に形成された係止孔３４はスリット状に形成され、係止孔３４の下辺には、係止舌片４ａの先端が係止する係止溝９が形成されている。係止溝９は係止孔３４の左右方向全体に形成され、この係止溝９の奥側は扉板４を閉操作、即ち下方へ回動操作した際に、ハウジングの内部方向へ係止舌片４ａがスライドして移動するよう傾斜面９ａを設けて形成されている。そして、係止孔３４の内部には係止舌片４ａを収容する収容空間が設けられている。
【００２１】
上記の如く形成された扉板４の前面板３への取り付け、及び開閉操作は以下のように実施される。扉板４の取り付けは、まず扉板４を略水平にして回転軸５を挿入口３３に合わせ、同時に係止舌片４ａを係止孔３４に合わせて、斜め上方に押し込むよう挿入操作することで、図３に示すように回転軸５が軸止部６に配置され、同時に図１２に示すように係止舌片４ａが係止孔３４に挿入される。
【００２２】
挿入後、扉板４を回動して下ろし、閉操作すると回転軸５は図８に示すように軸止部６の軸穴６ｂの近傍に配置され、この状態で扉板４を右にスライドさせると図９に示すように軸穴６ｂに連結軸５ａが入り込み、軸着されて蝶着部が形成される。即ち、扉板４の取り付けが成される。尚、図８，９は前面板３の背面図であるため、扉板４のスライドは左方向となる。
【００２３】
連結された扉板４は、上方に回動して開放操作し、水平な状態から更に上方へ回動操作すると、係止舌片４ａの先端が前方に移動し、やがて図１０に示すように係止舌片４ａが係止溝９に係止する。この係止状態は扉板４の自重で解除されることが無く、この開放角度が保持される。そして、扉板４を下方に押下操作すれば、この係止状態が解除されて扉板４は回動して閉動作する。
【００２４】
このように、扉板４をハウジング１に蝶着するための部材は、扉板４及びハウジング１それぞれに一体に形成されているため、別途蝶番を形成する部材が必要なく、安価に構成できる。そして、開状態にある扉板４は、その状態が保持されるので別途保持手段を組み付ける必要がない。
また、開状態が保持されている扉板４を閉操作すれば、係止舌片４ａの係止溝９への係止が解除されて閉動作するため、別途係止解除操作する必要がないし、スライドして係止が解除されるため係止舌片４ａが破損するようなこともない。
更に軸止部６は、前面板３に一体形成されても前面板３の背部に形成されているため、前方からは隠れることで外観上好ましい。
【００２５】
尚、上記実施形態では、係止舌片４ａを扉板４の上部中央に帯状に形成しているが、左右の回転軸５の近傍に分割して複数形成しても良い。
また、ハウジング１を前面が開放された箱状のハウジング本体２と、この開放された前面を閉塞する前面板３とで構成し、機器を組み付ける部位を箱状に形成しているが、機器を組み付ける部位を板状に形成して前側に配置されて扉板４が取り付けられる部材を箱状に形成しても良い。
【産業上の利用可能性】
【００２６】
上記実施形態は、主に分岐回路を形成するためのブレーカを収納する分電盤について説明したが、情報機器を収納する情報分電盤にも適用できるものである。
【符号の説明】
【００２７】
１・・ハウジング、２・・ハウジング本体、３・・前面板、４・・扉板、４ａ・・係止舌片（係止手段）、５・・回転軸、５ａ・・連結軸、５ｃ・・突起、６・・軸止部、６ａ・・収容部、６ｂ・・軸穴、７・・連結部材、９・・係止溝（係止部）、９ａ・・傾斜面、３１・・開口部、３３・・挿入口、３４・・係止孔。
【図１】
2020010519.tif 000003
【図２】
2020010519.tif 000004
【図３】
2020010519.tif 000005
【図４】
2020010519.tif 000006
【図５】
2020010519.tif 000007
【図６】
2020010519.tif 000008
【図７】
2020010519.tif 000009
【図８】
2020010519.tif 000010
【図９】
2020010519.tif 000011
【図１０】
2020010519.tif 000012
【図１１】
2020010519.tif 000013
【図１２】
2020010519.tif 000014